(57)【要約】【課題】  遠隔操作式排水栓装置の清掃性を向上させることを目的とする。【解決手段】  本発明は槽体の底面で排水口を形成する排水栓１と、排水口の開閉を行う弁体６と、排水栓１から離れた位置に配置され、弁体６の操作を行う操作部７と、操作部７に加えられた操作を弁体６側へと伝達する伝達部８と、伝達部８端部に連結された従動部９から成る。従動部９は弁体６を上下動させる昇降部９１を備えている。昇降部９１は操作部の操作に伴い水平方向且つ排水配管の内周面に沿って摺動し、排水配管の内周面に沿って水平方向に突出する。従って、使用者からは排水配管の内周面に沿って突出した昇降部９１の一部のみが目視可能となるため意匠性が良く、又、従来の遠隔操作式排水栓装置のように中央に向けて突出する部材が存在しないことから清掃性に優れている。【選択図】図１
2017036619.tif 000002
【特許請求の範囲】
【請求項１】
槽体の底面で排水口を形成する排水栓と、
排水口の開閉を行う弁体と、
排水栓から離れた位置に配置され、弁体の操作を行う操作部と、
操作部の操作に伴い、水平方向且つ排水配管の内周面に沿って摺動し、弁体を上下動させる昇降部からなる遠隔操作式排水栓装置。
【請求項２】
前記昇降部は、
排水配管の接線方向に摺動すると共に、当該摺動に伴いその一部が排水配管の内周面に沿って突出することを特徴とする請求項１に記載の遠隔操作式排水栓装置。
【請求項３】
前記昇降部は、
排水配管の内周面に沿って回転することを特徴とする請求項１に記載の遠隔操作式排水栓装置。
【請求項４】
前記昇降部によって、弁体の外縁が支持されることを特徴とする請求項１乃至請求項３のいずれか１つに記載の遠隔操作式排水栓装置。
【請求項５】
昇降部又は弁体は傾斜面を備え、
昇降部が弁体と当接した際、当該傾斜面によって当接部から付与される応力が、弁体を上下動させる応力へと変換されることを特徴とする請求項１乃至請求項４のいずれか１つに記載の遠隔操作式排水栓装置。
【請求項６】
前記排水配管の半径よりも前記昇降部が排水配管の内周面への突出幅が小さいことを特徴とする請求項１乃至請求項５のいずれか１つに記載の遠隔操作式排水栓装置。
【請求項７】
前記昇降部は、平面視において、排水配管の内周面の２箇所以上の箇所より突出することを特徴とする請求項１乃至請求項６のいずれか１つに記載の遠隔操作式排水栓装置。
【発明の詳細な説明】
【技術分野】
【０００１】
本願発明は、洗面ボウルやシンク、浴槽等の槽体の底面に形成された排水口の開閉を行う弁体を遠隔的に操作する遠隔操作式排水栓装置に関するものである。
【背景技術】
【０００２】
特許文献１に記載の遠隔操作式排水栓装置は、上下動により排水口の開閉を行う弁体、手動操作に基づいて操作を行う操作部、操作部の操作を弁体側へと伝達するレリースワイヤから成る。
弁体は周囲に止水用のパッキンが嵌着されており、弁体が下降した際には排水口を閉塞して槽体内に湯水等を貯留可能な状態とし、上昇した際には排水口を開口し、排水を下流側の排水流路へと排出することができる。又、弁体はその中心より直下方向に垂設された円筒状の支持軸部を備えている。
レリースワイヤは中空のアウターチューブ及び当該アウターチューブ内を進退可能なインナーワイヤから成り、当該進退によって操作部に加えられた操作を弁体側へと伝達する伝達部としての機能を有している。又、レリースワイヤは端部に昇降部材を備えている。昇降部材は上記インナーワイヤの進退に伴い回動し、先端部が支持軸部下端に当接することで弁体を上下動させる。
上記遠隔操作式排水栓装置について、弁体が下降状態にある時に使用者が操作部に対して操作を加えると、当該操作に基づいてインナーワイヤが操作部側へと後退する。そして、当該後退に伴い昇降部材が回動することで先端部が支持軸部に当接し、弁体を押し上げることで排水口が開口される。当該状態より使用者が更に操作部に操作を加えると、インナーワイヤが弁体側へと前進する。そして、当該前進に伴い昇降部材が回動することで先端部が下降し、弁体は自重によって下降することで排水口を閉塞する構造となっている。
【先行技術文献】
【特許文献】
【０００３】
【特許文献１】特開２０００−１６０６２０号公報
【発明の概要】
【発明が解決しようとする課題】
【０００４】
上記遠隔操作式排水栓装置の昇降部材は支持軸部に当接するため、排水配管の側方から中心に向けて突出している。従って、昇降部材は排水中の毛髪等が絡み易く、非常に汚れやすい。又、昇降部材は排水配管の中心に向けて突出していることから、当該突出部分は使用者から視認されやすい状態にあるが、昇降部材は排水口のよりもかなり下方に配置されているため清掃を行うことが困難であり、使用者は昇降部材の汚れを視認しつつも清掃ができないという問題があった。尚、例え昇降部材が清掃可能な高さに配置されていても、その形状より清掃を行うことは非常に困難であった。
本願発明は上記問題に鑑み発明されたものであって、遠隔操作式排水栓装置の清掃性を向上させることを目的とする。
【課題を解決するための手段】
【０００５】
請求項１に記載の本発明は、槽体の底面で排水口を形成する排水栓と、
排水口の開閉を行う弁体と、
排水栓から離れた位置に配置され、弁体の操作を行う操作部と、
操作部の操作に伴い、水平方向且つ排水配管の内周面に沿って摺動し、弁体を上下動させる昇降部からなる遠隔操作式排水栓装置である。
【０００６】
尚、「水平方向」とは、斜め方向等、水平方向成分を有する方向を含むものである。
【０００７】
請求項２に記載の本発明は、前記昇降部は、
排水配管の接線方向に摺動すると共に、当該摺動に伴いその一部が排水配管の内周面に沿って突出することを特徴とする請求項１に記載の遠隔操作式排水栓装置である。
【０００８】
請求項３に記載の本発明は、前記昇降部は、
排水配管の内周面に沿って回転することを特徴とする請求項１に記載の遠隔操作式排水栓装置である。
【０００９】
請求項４に記載の本発明は、前記昇降部によって、弁体の外縁が支持されることを特徴とする請求項１乃至請求項３のいずれか１つに記載の遠隔操作式排水栓装置である。
【００１０】
請求項５に記載の本発明は、昇降部又は弁体は傾斜面を備え、
昇降部が弁体と当接した際、当該傾斜面によって当接部から付与される応力が、弁体を上下動させる応力へと変換されることを特徴とする請求項１乃至請求項４のいずれか１つに記載の遠隔操作式排水栓装置である。
【００１１】
請求項６に記載の本発明は、前記排水配管の半径よりも前記昇降部が排水配管の内周面への突出幅が小さいことを特徴とする請求項１乃至請求項５のいずれか１つに記載の遠隔操作式排水栓装置である。
【００１２】
請求項７に記載の本発明は、前記昇降部は、平面視において、排水配管の内周面の２箇所以上の箇所より突出することを特徴とする請求項１乃至請求項６のいずれか１つに記載の遠隔操作式排水栓装置である。
【発明の効果】
【００１３】
請求項１乃至請求項３に記載の本発明によれば、従来の遠隔操作式排水栓装置のように、装置の一部が排水配管の中央に向けて突出する部材が存在しない。従って、使用者からは排水配管の内周面に沿って突出した昇降部が目視可能となるのみであるため意匠性及び清掃性に優れている。
請求項４に記載の本発明によれば、昇降部が弁体の外縁を支持することから、昇降部が排水配管の中央に向けて突出する必要がない。尚、当該「外縁」とは弁体の外周及び下端等を含むものである。
請求項５に記載の本発明によれば、昇降部がどの様にして弁体を上下動させるかを明確にすることができると共に、装置の複雑化を防ぎ、装置を安定して作動させることが可能となる。
請求項６に記載の本発明によれば、昇降部が排水配管の中央に突出しないことから、意匠性及び清掃性を向上させることが可能となる。
請求項７に記載の本発明によれば、弁体を安定して上下動させることが可能となる。
【図面の簡単な説明】
【００１４】
【図１】本発明の施工状態を示す断面図である。
【図２】本発明の施工状態を示す参考図である。
【図３】排水管継手を示す（ａ）側面断面図（ｂ）（ａ）のＡ−Ａ’断面図である。
【図４】弁体を示す断面図である。
【図５】従動部を示す（ａ）平面図（ｂ）側面図である。
【図６】弁体の下降状態を示す断面図である。
【図７】図６のＡ−Ａ’断面図である。
【図８】弁体の上昇状態を示す断面図である。
【図９】図８のＡ−Ａ’断面図である。
【図１０】第二実施形態における弁体の下降状態を示す断面図である。
【図１１】第二実施形態における弁体の上昇状態を示す断面図である。
【図１２】第三実施形態を示す断面図である。
【図１３】第三実施形態に係る弁体を示す断面図である。
【図１４】第四実施形態に係る従動部を示す（ａ）平面図（ｂ）側面図である。
【発明を実施するための形態】
【００１５】
以下に、本発明の遠隔操作式排水栓装置を、図面を参照しつつ説明する。尚、以下に記載する説明は実施形態の理解を容易にするためのものであり、これによって発明が制限して理解されるものではない。又、以下の実施形態においては、特に断りの無い限り図２に示す施工状態を基準として上下左右及び部材同士の位置関係を説明する。
【００１６】
本実施形態に係る遠隔操作式排水栓装置は、図１及び図２に示すように、槽体Ｂに取り付けられ、排水栓１、排水管継手３、排水トラップ５、弁体６、操作部７、伝達部８、従動部９から構成されている。
【００１７】
槽体Ｂは上方が開口した箱状の洗面台であって、図示しないキャビネット上に載置されている。又、槽体Ｂはその底面及び側面に開口を有しており、底面に形成された開口には排水栓１が、側面に形成された開口にはオーバーフロー排水栓２が取り付けられている。
【００１８】
排水栓１は内部に排水流路を形成し、上流側端部及び下流側端部が開口する中空の円筒部材であって、外周に雄螺子が螺刻されており、上端より外側に向けて鍔部が形成されている。尚、排水栓１はその上端の開口が排水口１１として機能し、槽体Ｂからの排水が排水栓１以降の排水流路に流入する流入部分を構成する。又、鍔部の外径は上記槽体Ｂの底面に形成された開口よりも大径であるとともに、筒状部分は槽体Ｂの底面に形成された開口よりも小径に形成されている。従って、槽体Ｂの底面に形成された開口内に挿入された排水栓１は、槽体Ｂ裏側（下方）よりパッキンを介してナットと螺合することによって、鍔部とナットによって槽体Ｂの底面に形成された開口の周縁を挟持している。又、排水栓１下端内周にはテーパ部が形成されており、排水管継手３の上端が挿入されている。
【００１９】
オーバーフロー排水栓２は上記排水栓１と同様に、内部に排水流路を形成し、上流側端部と下流側端部が開口する中空の円筒部材であって、外周に雄螺子が螺刻されており、上端より外側に向けて鍔部が形成されている。オーバーフロー排水栓２は下流側端部において、可撓性を有する蛇腹管２１と連結しており、当該蛇腹管２１を介してオーバーフロー排水栓２から連続するオーバーフロー流路を排水トラップ５の枝管部５２へと連続させている。上記構成により、オーバーフロー流路は槽体Ｂの内部に一定以上の水位（オーバーフロー排水栓２下端）まで湯水が貯留された際、余剰となる湯水を排出し、槽体Ｂから湯水が溢れることを防ぐ機能を有している。
【００２０】
排水管継手３は上記排水栓１と後述する排水トラップ５を繋ぐ直管状の継手部材であり、その上端は排水栓１の下端に挿入され、ナットによって接続されているとともに、その下端はＣ字リング４によって排水トラップ５と接続されている。又、排水管継手３は中間部分において、水平方向に拡径された矩形状の収納部３２を形成し、当該収納部３２側面より横管部３１が延設されており、当該横管部３１より伝達部８が挿入され、収納部３２に伝達部８の昇降部９１が収納されている。
横管部３１は水平方向に拡径された矩形状であって、Ｃ字リング４によって横管部継手３３と接続されている。横管部継手３３は従動部９を保持する矩形部分と、伝達部８が摺動する円筒部分を有している。尚、横管部継手３３は当該円筒部分の内周面において、伝達部８に嵌着されたパッキンと水密に当接している。
上記排水管継手３の上端には排水栓１下端のテーパ部に対応するテーパ部が形成されており、排水栓１と接続された際には排水栓１と排水管継手３の中心軸が合致する。
【００２１】
排水トラップ５は断面視略Ｕ字状に屈曲させた管体を２つ接続し、排水流路を略Ｓ字状に屈曲させたものであり、内部に排水が貯留可能な貯留部５１を形成している。尚、貯留部５１に貯留された排水は封水と呼ばれ、排水流路の一部を満水状態にすることによって、下流側からの臭気や害虫の逆流を防止する効果を奏する。又、排水トラップ５は排水管継手３から連続して垂下する排水流路中に、斜め上方に向けて延設された枝管部５２を有している。枝管部５２は蛇腹管２１が接続されており、オーバーフロー排水栓２から連続するオーバーフロー流路を形成している。
【００２２】
図４に示すように、弁体６は平面視円形の弁蓋６１と、毛髪等の塵芥を捕集する上部目皿６２及び下部目皿６３と、弁蓋６１の裏面中央より下部目皿６３まで垂設された棒状の支持軸部６４を備えている。
弁蓋６１は外周にパッキンが嵌着されており、弁体６が下降状態にある時、排水栓１と当接して排水口１１を閉塞することが可能となっている。
上部目皿６２及び下部目皿６３は共に網目状の捕集部を備えた平面視円形状であって、上部目皿６２は排水栓１の内径と略同一の外径を有し、下部目皿６３は内筒部１２の内径と略同一の外径を有している。又、下部目皿６３は下面において、後述する従動部９へ向けて約４５度傾斜する傾斜面６５が垂設されている。
上記弁体６は排水口１１より排水配管内部に収納されるが、この時、図示しない回り止め構造によって、弁体６は上下動のみが許容され、排水配管内部に回動不能に配置される。又、弁体６は上記回り止め構造によって、傾斜面６５が常に横管部３１側を向く様に配置される。
【００２３】
操作部７は排水栓１から離れた位置であって、槽体Ｂの天面に配置されており、使用者が直接押引操作を加えるレバー７１を備えている。又、操作部７は下端において伝達部８と連結している。
【００２４】
伝達部８は側面方向に可撓性を有するとともに、軸方向に剛性を有するレリースワイヤ８１と、レリースワイヤ８１端部に設けられた円筒状の止水部８４を有し、止水部８４には従動部９が取り付けられている。
レリースワイヤ８１はアウターチューブ８２、インナーワイヤ８３より構成されている。アウターチューブ８２は合成樹脂より成る中空のチューブ体であり、内部にインナーワイヤ８３が進退可能に配置されている。インナーワイヤ８３は金属の撚り線であって、一端が操作部７のレバー７１と、他端がベルト部８４と接続されている。
止水部８４は横管部継手３３の円筒部分内を摺動可能に配置されており、一端に上記レリースワイヤ８１が、他端には従動部９が取り付けられている。又、止水部８４は周囲にパッキンが嵌着されており、横管部継手３３と水密に当接している。
【００２５】
図５に示すように、従動部９は伝達部８の端部に取り付けられた、二本の昇降部９１を有する平面視略Ｕ字状の部材であって、排水管継手３の収納部３２内を水平方向に進退可能に配置されている。昇降部９１は約１５ｍｍの高さを有し、傾斜面９２及び載置部９３から構成されている。傾斜面９２は従動部９の端部において約４５度傾斜して形成されており、その上端において、水平面から成る載置部９３と連続している。又、二本の昇降部９１の外側面同士の距離は排水配管（排水管継手３）の内径よりも大きいが、内側面同士の距離は排水配管（排水管継手３）の内径よりも小さい。
上記従動部９は操作部７の操作に伴って収納部３２内を水平方向に進退し、当該進退時、図６乃至図９に示すように、平面視において昇降部９１は排水配管の接線方向に摺動する。そして、図６及び図７に示すように、昇降部９１が操作部７側へ後退しており、弁体６が下降状態にある際、平面視において昇降部９１は排水配管内に一切露出しない。一方で、図８及び図９に示すように、従動部９が弁体６を上昇させる位置に配置された際には、平面視において対抗する位置の昇降部９１の一部（載置部９３）が排水配管の内周面に沿って突出する。尚、昇降部９１は二本設けられていることから、図８及び図９に示す位置に従動部９が配置された際、排水配管の対向する位置より二箇所の載置部９３が突出する。この時、排水配管の内周面に沿って水平方向に突出する。尚、当該突出幅はそれぞれ５ｍｍ以下、好ましくは１ｍｍ〜２ｍｍ程度であり、排水配管の半径Ｒよりも小径である。尚、図７は図６の状態の排水配管をＡ−Ａ’にて切断した参考図であり、昇降部９１の突出状態を示すため、弁体６等の記載を省略すると共に、露出していない部分の昇降部９１を破線にて表している。尚、同様に、図９は図８の状態の排水配管をＡ−Ａ’にて切断した参考図である。
【００２６】
上記各部材より構成された遠隔操作式排水栓装置は、以下のように施工される。尚、以下に記載する施工手順においては、排水トラップ５より下流側の排水配管に関する施工は省略する。又、以下に記載する施工手順はあくまで一例である。
【００２７】
まず、槽体Ｂの底面に形成された開口に排水栓１を、側面に形成された開口にオーバーフロー排水栓２を、槽体Ｂの天面に操作部７をそれぞれ取り付ける。この時、各部材はパッキンを介して取り付けられるため、槽体Ｂ内に生じた湯水は全て排水栓１又はオーバーフロー排水栓２を通じて排出される。
次に、横管部３１から伝達部８と従動部９を挿入し、Ｃ字リング４によって横管部３１と横管部継手３３を接続する。この時、従動部９は排水管継手３の収納部３２内において、水平方向に摺動可能に配置されると共に、昇降部９１は排水配管の接線方向に摺動可能となる。又、伝達部８の止水部８４は横管部継手３３の円筒部分に配置され、止水部８４に嵌着されたパッキンが横管部継手３３の内周面と当接して水密状態となる。
次に、排水栓１と排水管継手３をナットにより接続する。この時、排水管継手３上端が排水栓１下端に挿入され、排水管継手３上端のテーパ部と排水栓１下端のテーパ部が当接することによって排水管継手３と排水栓１の中心軸が合致する。
最後に、排水トラップ５と排水管継手３を、Ｃ字リング４を使用して接続し、排水トラップ５の枝管部５２に蛇腹管２１を接続し、弁体６を排水口１１より挿入することで施工が完了する。尚、この時、弁体６は上記回り止め構造によって上下動のみが許容され、且つ傾斜面６５が横管部３１側を向く様に配置される。
【００２８】
上記手順によって施工された本実施形態の遠隔操作式排水栓装置は、以下のように作動する。
【００２９】
図６及び図７に示すように、弁体６が下降状態にある時、レバー７１は引き上げられた状態であり、従動部９は操作部７側に後退している。この時、図７に示すように、昇降部９１は排水配管の内周面よりも外側に配置されており、平面視において昇降部９１は排水配管内部に突出していない。従って、弁体６は昇降部９１に支持されておらず、自重によって下降している。
当該弁体６の下降状態より、使用者が操作部７（レバー７１）に対して押し込み操作を加えると、レバー７１下端に接続されたインナーワイヤ８３がアウターチューブ８２内を弁体６側へと前進し、当該前進に基づいて、インナーワイヤ８３に接続された従動部９が図６における左方へと摺動する。この時、昇降部９１は排水配管の水平方向且つ接線方向に摺動すると共に、当該摺動に伴いその一部が排水配管の内周面に沿って突出し、弁体６の傾斜面６５と昇降部９１の傾斜面９２が当接する。当該当接によって、従動部９から付与される水平方向の応力が上下方向の応力へと変換され、弁体６に対して上方向への応力が付与される。そして、当該上方向への応力の付与により弁体６が上昇すると、傾斜面９２の上端に形成された載置部９３に弁体６の外縁が支持される。従って、図８及び図９に示すように、弁体６は傾斜面９２に沿って上昇し、排水口１１を開口させるとともに、弁体６の外縁が載置部９３によって支持されて弁体６の上昇状態が保持される。
【００３０】
次に、上記弁体６の上昇状態より、使用者が操作部７（レバー７１）に引き上げ操作を加えると、レバー７１下端に接続されたインナーワイヤ８３がアウターチューブ８２内を操作部７側へと後退し、当該後退に基づいて、インナーワイヤ８３に接続された従動部９が図８における右方へと摺動する。この時、昇降部９１は全て平面視において排水配管の外側に配置され、弁体６は自重によって下降し、排水口１１を閉口させる。
【００３１】
上記遠隔操作式排水栓装置に対する湯水（排水）の流れは以下のようになる。
【００３２】
弁体６が上昇している際、弁体６のパッキンは排水栓１と離間しており、排水口１１は開口されている。従って、槽体Ｂ内に排出された湯水は排水口１１より排水配管に流入し、排水栓１、排水管継手３、排水トラップ５を通じて更に下水側の排水配管へと排出される。この時、槽体Ｂより流入した排水の一部は排水トラップ５の貯留部５１に貯留され、封水を形成する。
対して、弁体６が下降している際、弁体６のパッキンは排水栓１に当接しており、排水口１１は閉塞されている。従って、当該状態においては槽体Ｂ内部に湯水が貯留可能となっているが、オーバーフロー排水栓２下端まで湯水が貯留された場合、更に貯留されようとする湯水はオーバーフロー排水栓２に流入し、蛇腹管２１を通じて排水トラップ５内部へと排出される。
【００３３】
本発明の第一実施形態は以上であるが、上記第一実施形態においては、弁体６が下降状態にある時、昇降部９１は排水配管の内周面よりも外側に配置されており、平面視において昇降部９１は排水配管内部に突出していない。従って、弁体６が下降状態にある時、排水配管の内面は平面視において平滑となっており、清掃が容易且つ意匠性が良い。
一方で、上記第一実施形態において弁体６が上昇した際には、昇降部９１が排水配管の水平方向且つ排水配管の接線方向に摺動することで、昇降部９１の一部（載置部９３）が排水配管の内周面に沿って突出し、当該突出部分に弁体６の外縁が支持される構造となっている。しかし、弁体６の上昇状態においても、昇降部９１の突出幅は排水配管の半径よりも小さいため、当該上昇状態より弁体６を取り除いたとしても、従来の遠隔操作式排水栓装置のように、装置の一部が排水配管の中央に向けて突出していない。従って、使用者からは排水配管の内周面に沿って突出した昇降部９１の一部が目視可能となるのみであり、意匠性が良い。又、従来の遠隔操作式排水栓装置のように、排水配管の中央に向けて突出する部材が存在しないことから装置に毛髪等が装置に絡むこともなく、使用者は目視可能な部分の清掃を容易に行うことができる。
【００３４】
以下に、図１０及び図１１を用いて本発明の第二実施形態を説明する。尚、以降の実施形態においては、特に説明の無い限り、第一実施形態と同様の構成については同一の番号を付与し、その記載を省略する。
【００３５】
図１０及び図１１に示す本発明の第二実施形態に係る遠隔操作式排水栓装置は、弁体６が排水配管内に回動不可能に配置されており、下端に昇降部９１と合致する形状の傾斜面６５を有している。
従動部９はリング状の部材であり、その上方において昇降部９１が形成されている。又、従動部９は排水管継手３の内周と略同一の外径を有しており、操作部７の操作に伴い排水配管内を回動可能となっている。昇降部９１は傾斜面９２及び載置部９３から構成されている。傾斜面９２は従動部９の端部において約４５度傾斜して形成されており、その上端において、水平面から成る載置部９３と連続している。
【００３６】
上記第二実施形態に係る遠隔操作式排水栓装置において、操作部７に操作が加えられると、インナーワイヤ８３の前進／後退に伴い従動部９が水平方向に回転し、排水配管の内周面に沿って摺動する。この時、昇降部９１も同様に水平方向に回転するとともに排水配管の内周面に沿って摺動し、弁体６の傾斜面６５と昇降部９１の傾斜面９２が当接する。前述のとおり、弁体６は回転不可能に構成されていることから、当該当接によって、従動部９から付与される水平方向の応力が上下方向の応力へと変換され、弁体６に対して上方向への応力が付与される。そして、当該上方向への応力の付与により弁体６が上昇すると、傾斜面６５の上端に形成された載置部９３に弁体６の外縁が支持される。
【００３７】
上記第二実施形態においては、平面視において昇降部９１は常に排水配管内部に突出しているが、昇降部９１は排水配管の内周面に沿って突出しており、且つ前記第一実施形態と同様に、昇降部９１の突出幅は排水配管の半径よりも小さい。従って、清掃時において弁体６を取り除いた際、使用者からは排水配管の内周面に沿って突出した昇降部９１が目視可能となるのみであり、従来の遠隔操作式排水栓装置のように、装置の一部が排水配管の中央に向けて突出しておらず、非常に意匠性が良い。
【００３８】
本発明は上記第一実施形態及び第二実施形態の形状に限られるものではなく、発明の要旨を逸脱しない範囲において種々の形状変更等を行っても良い。
例えば、第二実施形態において、従動部９は排水管継手３の内側に配置されていたが、その一部が排水管継手３の外側に配置されており、その一部が内側に突出する形状であっても良い。
【００３９】
又、各実施形態において、昇降部９１は直接弁体６と当接していたが、図１２及び図１３に示す第三実施形態のように、昇降部９１が水平方向且つ排水配管の内周面に沿って摺動することによってリング状の部材に当接し、当該リング状の部材によって弁体６が押し上げられる等、昇降部９１が間接的に弁体６と当接しても良いものである。
【００４０】
又、上記第一実施形態において、従動部９は二本の昇降部９１を備えていたがその本数は増減しても良い。例えば、図１４に示す第四実施形態のように、昇降部９１は一本であっても良い。この場合においては、弁体６が回転するように力が加わるため、第一実施形態のように、弁体６が回り止め構造を有していると好適である。又、昇降部９１は弁体６の上昇／下降状態に関わらずその一部又は全部が露出していても良い。
尚、第四実施形態の施工状態については第一実施形態の施工状態である図１と同様であるため、その記載を省略する。
【００４１】
又、各実施形態において、昇降部９１は水平に摺動していたが、斜め方向に摺動する等、本発明においては、昇降部９１の動作方向は水平方向成分を含む方向であれば良い。
又、上記弁体６は自重によって下降していたが、適宜箇所にスプリングを設けたり、昇降部９１が弁体６と係合させたりすることにより、昇降部９１の動作に応じ、弁体６に対して自重以外の下降する応力が加えられる構造であっても良い。
又、各実施形態において、弁体６は下端に傾斜面６５を備えていたが、当該傾斜面６５を弁蓋６１下面に形成しても良い。この時、昇降部９１は排水栓１の鍔部の下方位置に設けても良い。
【符号の説明】
【００４２】
１                      排水栓
１１                    排水口
２                      オーバーフロー排水栓
２１                    蛇腹管
３                      排水管継手
３１                    横管部
３２                    収納部
３３                    横管部継手
４                      Ｃ字リング
５                      排水トラップ
５１                    貯留部
５２                    枝管部
６                      弁体
６１                    弁蓋
６２                    上部目皿
６３                    下部目皿
６４                    支持軸部
６５                    傾斜面
７                      操作部
７１                    レバー
８                      伝達部
８１                    レリースワイヤ
８２                    アウターチューブ
８３                    インナーワイヤ
８４                    止水部
９                      従動部
９１                    昇降部
９２                    傾斜面
９３                    載置部
Ｂ                      槽体
【図１】
2017036619.tif 000003
【図２】
2017036619.tif 000004
【図３】
2017036619.tif 000005
【図４】
2017036619.tif 000006
【図５】
2017036619.tif 000007
【図６】
2017036619.tif 000008
【図７】
2017036619.tif 000009
【図８】
2017036619.tif 000010
【図９】
2017036619.tif 000011
【図１０】
2017036619.tif 000012
【図１１】
2017036619.tif 000013
【図１２】
2017036619.tif 000014
【図１３】
2017036619.tif 000015
【図１４】
2017036619.tif 000016